(57)【要約】【課題】  小物バッグを取付けた胴部帯状体を簡単にペットに固定すること。【解決手段】  長尺な胴巻帯状体２と、該胴巻帯状体２に係止される小物バッグ３とからなるペット用小物バッグ取付用具１であって、  前記胴巻帯状体２は、その途中に長さ調節自在の長さ調節部４を具備し、且つ、その両端部付近に着脱自在な連結具５と被連結具６を具備した全体が長尺な可撓性部材からなり、  前記小物バッグ３は、上方が開口した袋形状を有し、裏側に前記胴巻帯状体２を上下方向に挿通する挿通部８を具備し、且つ、該挿通部８に隣接して前記胴巻帯状体２を密着固定する取付部９を具備したことにある。また、前記胴巻帯状体２の全体が、伸縮部材７からなることにある。  更に又、前記胴巻帯状体２の一部分が、伸縮部材７からなることにある。【選択図】      図４  
2005185256.tif 000002
【特許請求の範囲】
【請求項１】
長尺な胴巻帯状体と、該胴巻帯状体に係止される小物バッグとからなるペット用小物バッグ取付用具であって、
前記胴巻帯状体は、その途中に長さ調節自在の長さ調節部を具備し、且つ、その両端部付近に着脱自在な連結具と被連結具を具備した全体が長尺な可撓性部材からなり、
前記小物バッグは、上方が開口した袋形状を有し、裏側に前記胴巻帯状体を上下方向に挿通する挿通部を具備し、且つ、該挿通部に隣接して前記胴巻帯状体を密着固定する取付部を具備した、
ことを特徴とするペット用小物バッグ取付用具。
【請求項２】
前記胴巻帯状体の全体が、伸縮部材からなる請求項１記載のペット用小物バッグ取付用具。
【請求項３】
前記胴巻帯状体の一部分が、伸縮部材からなる請求項１記載のペット用小物バッグ取付用具。
【発明の詳細な説明】
【技術分野】
【０００１】
この発明は、犬などのペットの散歩時などに好適に使用できるペット用小物バッグ取付用具に関する。
【背景技術】
【０００２】
犬の散歩時において飼主が困る点は、糞の処理とこれの持ち帰りである。通常は糞を紙などで掴み取って包んで手下げ袋などに入れているが、片手で犬の綱を持っているのでこの手下げ袋が持ち難いことから、犬にこの手下げ袋を背負わせる道具が提案されている。（例えば、特許文献１参照。）
【０００３】
この従来技術は、犬などのペットの２本の前足の頭部側と尻側の胴体を巻回する２本の胴部帯状体の上方端部を連結して、この背中上方に位置する連結部分に散歩用の綱を着脱自在に固定できるようになっており、又、２本の胴部帯状体の胴部下方に位置する中間部と胴部両側方の上部にはそれぞれ連結帯で連結されて双方の胴部帯状体が分離しないようになっている。そして、前記手下げ袋に相当するバッグは胴部横側に位置する２本の胴部帯状体に固定するようになっている。
【特許文献１】特開平１０−２９０６４１号公報
【発明の開示】
【発明が解決しようとする課題】
【０００４】
しかしながら、前記従来技術によると、胴部帯状体を犬に固定するためには、犬の２本の前足を２本の胴部帯状体と３本の連結帯で形成されている通し穴の中にそれぞれ別々に入れなければならないので取り付けに手数を要する問題点がある。
【課題を解決するための手段】
【０００５】
この発明は、上記事情に鑑みてなされたものであって、その手段とするところは、請求項１の発明は、校長尺な胴巻帯状体と、該胴巻帯状体に係止される小物バッグとからなるペット用小物バッグ取付用具であって、前記胴巻帯状体は、その途中に長さ調節自在の長さ調節部を具備し、且つ、その両端部付近に着脱自在な連結具と被連結具を具備した全体が長尺な可撓性部材からなり、前記小物バッグは、上方が開口した袋形状を有し、裏側に前記胴巻帯状体を上下方向に挿通する挿通部を具備し、且つ、該挿通部に隣接して前記胴巻帯状体を密着固定する固着部を具備したことにある。
【０００６】
請求項２の発明は、前記胴巻帯状体の全体が伸縮部材からなるところにある。
【０００７】
請求項３の発明は、前記胴巻帯状体の一部分が伸縮部材からなるところにある。
【発明の効果】
【０００８】
この発明によると、犬に小物バッグを取り付けるためには、１本の胴巻帯状体の両端を掴んで中央部分を背中に乗せてそれぞれの端を左右の前足に巻回してその両端を持ち上げて犬の背中の上方で連結部と被連結部を連結するだけでよいので、取り付けが簡単である。又、犬の体格のサイズに合わせて長さ調節部を弛めたり締めたりできるので、その犬に見合った最適の状態で使用でき得る。加えて、胴巻帯状体が伸縮部材でなる場合には、前足の動きに伴って胴巻帯状体が伸び縮みするので、胴巻帯状体が巻回している胴体や前足のつけ根部分を歩行の都度、過度に締め付けたり弛めたりすることがないので、犬に違和感を生じさせないように散歩でき得る。更に又、伸縮部材を犬の前足の根元を巻回する一部分のみに限定すれば、同じ効果が得られるのにかかわらず、材料費の節約を図ることができる。更に、胴巻帯体は１本の帯状物であるので、簡単に製造できる利点がある。又、小物バッグの胴巻帯体への取付数も１個又は２個を選択して使用できる.
【発明を実施するための最良の形態】
【０００９】
この発明の実施形態について、以下、図を参照しつつ説明する。
この実施例のペット用小物バッグ取付用具１は、図２、図３等に示すように、胴巻帯状体２と小物バッグ３を主な構成要件とする。胴巻帯状体２は、厚布などの所定の厚さと幅を有し強度のある可撓性部材からなる帯状のものであって、その長さは特に限定されるものではないが、犬などのペットの種類に見合った長さとしておき、ある程度の誤差や使用するペットＡ個々の大きさに見合う微調節はその途中に設けた長さ調節部４によって行うようにする。この胴巻帯状体２の両端部には、凸状の連結具５と凹状の被連結具６が固定されており、これらを噛み合わせることによって、連結具５と被連結具６が着脱自在に連結固定されて、ペットＡの胴部Ｂに巻回されている胴巻帯状体２を確固に係止する。
【００１０】
この胴巻帯状体２は、図２、図３等に示すように、ペットＡの前足Ｃを巻回する２つの所定長さのゴムなどの弾力性を有する帯状の伸縮部材７を中間に介在させてもよい。或は、図示していないが、胴巻帯状体２の全てを伸縮部材７としてもよい。このような伸縮部材７を少なくとも前足Ｃを巻回する部分に用いることによって、ペットＡが歩行する時にかかった胴巻帯状体２への力を緩和でき、歩行し易くなる利点が生ずる。
【００１１】
前記小物バッグ３は、上方が物入れ用に開口した通常のバッグであるが、開口の位置は前面の上方であっても真上であっても上方に位置していれば良い。この小物バッグ３の裏側には、前記胴巻帯状体２を上下方向に移動自在に挿通して支持する挿通部８が設けられている。加えて、小物バッグ３の裏側にはこの挿通部８に隣接して前足Ｃを巻回して戻ってくる胴巻帯状体２を密着固定する取付部９が設けられている。この取付部９は、胴巻帯状体２を小物バッグ３の裏側に密着固定することができるもので、具体例としては、図４、図６に表れているように、小物バッグ３の裏側に一側辺を前記挿通部８を通る胴巻帯状体２と平行になるように固定された可撓性材からなる取付辺１０と、この取付辺１０の他側辺を小物バッグ３の裏側にあらかじめ設けてある図外の被係止具と対になってこの被係止具に着脱自在に固定する係止具１１とを具備してなるものである。使用時には、小物バッグ３の裏側とこの取付辺１０の間に折り返して戻ってくる胴巻帯状体２を挟み入れて被係止具と係止具１１を指で挟んで押圧して係合させるだけでよい。これによって、小物バッグ３は裏側の左右を上下方向に挿通部８と取付片１０で胴巻帯状体２によって支持されてペットＡの胴部Ｂの側方に固定されることになる。小物バッグ３に物を積め込んで重くなると下降する恐れがあるが、胴巻帯状体２との摩擦力によってある程度までの重さに耐えられる。しかし、ペットＡの歩行による揺れや重量物が入った場合には耐えきれない場合もあるので、取付片１０の内側面や小物バッグ３の裏側或いはこれらと共に胴巻帯状体２表面に滑り止め材を施して摩擦抵抗力等を大きくして下降を防ぐか、ピン止めするかなどの対策を講じてもよい。
【００１２】
その他の取付部９としては、押圧力や引張力によって密着、離反が自在で或いはいわゆるマジックテープの一方を裏側に貼り付け、他方を胴巻帯状体２に貼り付けてあるものや、ホックの雌型を裏側に固定し、ホックの雄型を胴巻帯状体２に固定してあるものなどである。更には又、小物バッグ３の裏側には、粘着剤を貼り付けておき、胴巻帯状体２を圧着して繰り返し貼り付け固定できるものであってもよい。このようなと小物バッグ３の裏側を密着固定することによって、小物バッグ３をペットＡの胴部Ｂの側方の所定位置に係止することが可能となる。
【００１３】
尚、小物バッグ３はペットＡの胴部Ｂの片方だけであってもよいが、図２の点線に示すように、胴部Ｂの両側に設けるようにしても良い。この場合の構成は、図５、図６に示すように、胴巻帯状体２に２つの小物バッグ３の挿通部８を通して取付けたものである。使用時には、２つの小物バッグ３の間隔を適度に開けるように所定位置へ移動させるだけで良い。その他の取付け手順は、前記と同様である。このようにして取付けたもう一方の小物バッグ３には、ブラシやシャベルなどの小物入れ用など利用できる。
【００１４】
上記構成からなるこの発明のペット用小物取り付け用具１を使用する際には、胴巻帯状体２の一方の端を持ってペットＡの一方の前足Ｃ根元の裏側を巻回してから胴部Ｂの側方を通って背中の上方へ持ち上げ、他方の端も同様に他方の前足Ｃ根元の裏側を巻回してから胴部Ｂの側方を通って背中の上方へ持ち上げ、これら両端の連結具５と被連結具６を連結するだけでよい。すると、図１、図２に示すような取付けができる。もし、胴巻帯状体２の遊びが大きい時や締め付けが強い時には、長さ調節部４によって調整して適当な張力となるように調節する。又、胴巻帯状体２を小物バッグ３の裏側の取付部９に取付ける以前に挿通部８内を上下方向に移動させて最適の位置まで持ってゆき、その後、小物バッグ３の裏側と取付片１０の間に胴巻帯状体２を入れて取付片１０の係止具１１を小物バッグ３の裏側の被係止具と係合させて、小物バッグ３を胴巻帯状体２に固定することができる。胴部Ｂの両側方に小物バッグ３がある場合にも同様の手順で行うことができる。
【００１５】
このような準備が整ってから散歩に出掛けると、ペットＡが歩行しても胴巻帯状体２は前後方向に往復動作する前足Ｃの動きを阻止することがないので、ペットＡは違和感なく歩行することが可能である。又、前足Ｃを巻回する部分に伸縮部材７を使用していれば、この伸縮部材７が伸び縮みして移動分を吸収するためにペットＡの前足Ｃの付け根部分に負担がかからずペットＡは気持ち良く散歩することができるのに加えて、胴巻帯状体２への力の伝達も少なくなることから揺れも少なくなる。散歩後の取り外しは、前記とは逆に連結具５と被連結具６の連結を解除してから小物バッグ３を手前に引っ張って係止具１１を被係止具から外した取付片１０の片方を開放して、小物バッグ３の裏側と胴巻帯状体２の密着固定を解除し、その後、両端のペットＡの前足Ｃ根元に巻回している部分を外すだけでよい。この取り外しの際にも、ペットＡは前足Ｃを地面に付けたままの状態でよいので、飼主には楽に取り外し作業ができる。その後、小物バッグ３の開口から必要なものを取り出して処分する。
【００１６】
以上の説明から明らかなように、この発明の小物バッグ取付用具１によると、ペットＡの取り付け外しが簡単にできる。そして、小物バッグ取付用具１自体の構成もシンプルであるので、製造価格も安価となる。
【産業上の利用可能性】
【００１７】
この発明は、犬などの小動物ペットに好適に使用できるので応用範囲は広く、且つ又、これらのペットの数は極めて多いので、その製造販売の規模も大きくなり、これに従事する多数の雇用者を創出することができ、又、原材料の需要も大きくなり、産業が活性化される。また、小物バッグ３の取付け個数も必要に応じて選択できる。
【図面の簡単な説明】
【００１８】
【図１】この発明の使用状態説明図。
【図２】図１の要部縦断面説明図。
【図３】小物バッグを取付けた胴巻帯状体の表側の全体説明図。
【図４】小物バッグを取付けた胴巻帯状体の裏側の全体説明図。
【図５】小物バッグを２つ取付けた胴巻帯状体の表側の全体説明図。
【図６】小物バッグを２つ取付けた胴巻帯状体の裏側の全体説明図。
【符号の説明】
【００１９】
１    ペット用小物取付け用具
２    胴巻帯状体
３    小物バッグ
４    長さ調節部
５    連結部
６    被連結部
７    伸縮部材
８    挿通部
９    取付部
【図１】
2005185256.tif 000003
【図２】
2005185256.tif 000004
【図３】
2005185256.tif 000005
【図４】
2005185256.tif 000006
【図５】
2005185256.tif 000007
【図６】
2005185256.tif 000008